(57)【要約】【課題】  毛髪のスタイリングを迅速容易に行うことができるヘアドライヤー用アタッチメントを提供する。【解決手段】  ヘアドライヤーの吹出口に設けられるヘアドライヤー用アタッチメント１０であって、基端側に導入口１１を有し先端側に放出口１２を備える筒状のフード部材２０と、外面に複数の噴出孔２５３が形成された先細部を有しフード部材２０の内部の基端側に設けられた拡散部材２５と、拡散部材２５の先方でフード部材２０の内部を仕切るように設けられた整流板２６とを備え、フード部材２０は、基端側から先端側に向けて徐々に拡径される拡径部２７を備えており、導入口１１から拡散部材２５の内部に導入された空気が噴出孔２８３を介して拡径部２７に噴出するように構成される。【選択図】  図４
2019037405.tif 000002
【特許請求の範囲】
【請求項１】
ヘアドライヤーの吹出口に設けられるヘアドライヤー用アタッチメントであって、
基端側に導入口を有し先端側に放出口を備える筒状のフード部材と、
外面に複数の噴出孔が形成された先細部を有し前記フード部材の内部の基端側に設けられた拡散部材と、
前記拡散部材の先方で前記フード部材の内部を仕切るように設けられた整流板とを備え、
前記フード部材は、基端側から先端側に向けて徐々に拡径される拡径部を備えており、
前記導入口から前記拡散部材の内部に導入された空気が、前記噴出孔を介して前記拡径部に噴出するように構成されたヘアドライヤー用アタッチメント。
【請求項２】
前記先細部は、円弧状に湾曲する複数の第１の帯状体および第２の帯状体を周方向に交互に配置することにより、半楕円球状に形成されており、
前記第１の帯状体に対して前記第２の帯状体を陥没するように設けることで、前記第１の帯状体と前記第２の帯状体との間に前記噴出孔が形成される請求項１に記載のヘアドライヤー用アタッチメント。
【請求項３】
前記フード部材の内部の先端側に設けられた椀状部材を更に備え、
前記椀状部材は、先端開口が前記放出口に連設されており、前記フード部材の内壁面と対向する位置に第１の連通孔が複数形成されている請求項１または２に記載のヘアドライヤー用アタッチメント。
【請求項４】
前記椀状部材の底部から先方に突出する膨出部を更に備え、
前記膨出部は、前記椀状部材の内壁面と対向する位置に第２の連通孔が複数形成されている請求項３に記載のヘアドライヤー用アタッチメント。
【請求項５】
前記膨出部に着脱可能に装着され、被収容物を蒸散可能な収容容器を更に備える請求項４に記載のヘアドライヤー用アタッチメント。
【請求項６】
前記整流板は、金属製の多孔板である請求項１から５のいずれかに記載のヘアドライヤー用アタッチメント。
【請求項７】
請求項１から６のいずれかに記載のヘアドライヤー用アタッチメントと、
前記ヘアドライヤー用アタッチメントに空気を導入するためのファンを有するドライヤー本体とを備えるヘアドライヤー。
【請求項８】
前記ファンは、ターボファンまたはシロッコファンである請求項７に記載のヘアドライヤー。
【発明の詳細な説明】
【技術分野】
【０００１】
本発明は、ヘアドライヤー用アタッチメント、および、これを備えるヘアドライヤーに関する。
【背景技術】
【０００２】
パーマネントウェーブをかけた毛髪は、濡れた状態でヘアドライヤーにより強風を当てるとウェーブを伸ばしてしまうおそれがある一方、ヘアドライヤーの風量調節により弱風にすると、風量の低下により乾燥するまでに長時間を要するという問題がある。このため、ヘアドライヤーの大風量を維持したまま流れを拡散させることにより、風速を低下させるヘアドライヤー用のアタッチメントが従来から知られている（例えば、特許文献１の背景技術）。
【先行技術文献】
【特許文献】
【０００３】
【特許文献１】特開２０１５−２４１３７号公報
【発明の概要】
【発明が解決しようとする課題】
【０００４】
ところが、従来のヘアドライヤー用アタッチメントは、吹出口からの温風が微風速で周囲に拡がることにより温度低下が生じやすいため、毛髪の乾燥に時間がかかるだけでなく、毛髪の根元まで風が行き渡り難いためスタイリングが困難になり易いという問題があった。
【０００５】
そこで、本発明は、毛髪のスタイリングを迅速容易に行うことができるヘアドライヤー用アタッチメントおよびヘアドライヤーの提供を目的とする。
【課題を解決するための手段】
【０００６】
本発明の前記目的は、ヘアドライヤーの吹出口に設けられるヘアドライヤー用アタッチメントであって、基端側に導入口を有し先端側に放出口を備える筒状のフード部材と、外面に複数の噴出孔が形成された先細部を有し前記フード部材の内部の基端側に設けられた拡散部材と、前記拡散部材の先方で前記フード部材の内部を仕切るように設けられた整流板とを備え、前記フード部材は、基端側から先端側に向けて徐々に拡径される拡径部を備えており、前記導入口から前記拡散部材の内部に導入された空気が、前記噴出孔を介して前記拡径部に噴出するように構成されたヘアドライヤー用アタッチメントにより達成される。
【０００７】
このヘアドライヤー用アタッチメントにおいて、前記先細部は、円弧状に湾曲する複数の第１の帯状体および第２の帯状体を周方向に交互に配置することにより、半楕円球状に形成されていることが好ましく、前記第１の帯状体に対して前記第２の帯状体を陥没するように設けることで、前記第１の帯状体と前記第２の帯状体との間に前記噴出孔が形成されることが好ましい。
【０００８】
また、前記フード部材の内部の先端側に設けられた椀状部材を更に備えることが好ましく、前記椀状部材は、先端開口が前記放出口に連設されており、前記フード部材の内壁面と対向する位置に第１の連通孔が複数形成されていることが好ましい。この構成においては、前記椀状部材の底部から先方に突出する膨出部を更に備えることが好ましく、前記膨出部は、前記椀状部材の内壁面と対向する位置に第２の連通孔が複数形成されていることが好ましい。更に、前記膨出部に着脱可能に装着され被収容物を蒸散可能な収容容器を備えることが好ましい。
【０００９】
前記整流板は、金属製の多孔板であることが好ましい。
【００１０】
また、本発明の前記目的は、上記の構成を備えるヘアドライヤー用アタッチメントと、前記ヘアドライヤー用アタッチメントに空気を導入するためのファンを有するドライヤー本体とを備えるヘアドライヤーにより達成される。前記ファンは、ターボファンまたはシロッコファンであることが好ましい。
【発明の効果】
【００１１】
本発明によれば、毛髪のスタイリングを迅速容易に行うことができるヘアドライヤー用アタッチメントおよびヘアドライヤーを提供することができる。
【図面の簡単な説明】
【００１２】
【図１】本発明の一実施形態に係るヘアドライヤーの側面図である。
【図２】前記ヘアドライヤーが備えるヘアドライヤー用アタッチメントの斜視図である。
【図３】前記ヘアドライヤー用アタッチメントの断面斜視図である。
【図４】前記ヘアドライヤー用アタッチメントの縦断面図である。
【図５】前記ヘアドライヤー用アタッチメントの要部平面図である。
【図６】前記ヘアドライヤー用アタッチメントの変形例を示す縦断面図である。
【発明を実施するための形態】
【００１３】
以下、本発明の実施の形態について、添付図面を参照して説明する。図１は、本発明の一実施形態に係るヘアドライヤーの側面図である。図１に示すように、ヘアドライヤー１は、ドライヤー本体１００と、ドライヤー本体１００に装着されたヘアドライヤー用アタッチメント１とを備えている。
【００１４】
ドライヤー本体１００は、円筒状のケーシング１０１内に、モータ１０２と、モータ１０２により駆動されるファン１０３と、ヒータ１０４とを備えており、電源コード１０５により通電されて、スイッチ１０６の操作により作動する公知の構成である。ケーシング１０１の先端および後端には、吹出口１０７および吸込口１０８がそれぞれ形成されており、吹出口１０７にヘアドライヤー用アタッチメント１０が装着される。本実施形態においては、ヘアドライヤー用アタッチメント１０は、ケーシング１０１の先端部に着脱可能に係合する構成としているが、ケーシング１０１の先端部に着脱不能に固定してもよく、あるいは、ケーシング１０１と一体であってもよい。
【００１５】
図２から図４は、それぞれヘアドライヤー用アタッチメント１の斜視図、断面斜視図、および縦断面図である。図３においては、ヘアドライヤー用アタッチメント１の構成要素の一部である整流板の図示を省略している。図２から図４に示すように、ヘアドライヤー用アタッチメント１は、筒状のフード部材２０と、フード部材の内部に設けられた椀状部材２３、膨出部２４、拡散部材２５および整流板２６とを備えている。
【００１６】
フード部材２０は、前筒２１と、前筒２１の基端側に接合された後筒２２とを備えており、後筒２２の基端側に導入口１１が形成され、前筒２１の先端側に放出口１２が形成されている。後筒２２は、基端側から先端側に向けて徐々に拡径される拡径部２７を有している。拡径部２７は、本実施形態ではフード部材２０の内方に凸となる断面円弧状に形成されており、後筒２２の基端から先端までの全体にわたって設けられている。拡径部２７は、フード部材２０の軸方向の一部に部分的に設けられていてもよい。前筒２１は、基端側から後端側に向けて若干縮径されるように形成されている。放出口１２の開口面積は、導入口１１の開口面積よりも大きい。
【００１７】
椀状部材２３は、前筒２１の長さと略同じ深さを有しており、先端開口の周縁部が放出口１２の周縁部に連設されて、フード部材２０の先端側に配置されている。椀状部材２３は、前筒２１の内壁面と対向する位置にスリット状に形成された複数の第１の連通孔２３１が、周方向の全体にわたって等間隔に配置されている。椀状部材２３の底部には、複数の補助孔２３２が周縁部に均一に形成されており、複数の補助孔２３２により囲まれた底部中央が先端開口に向けてカップ状に膨出するように、膨出部２４が設けられている。椀状部材２３は、本実施形態においては前筒２１と一体成形されているが、前筒２１と別部材であってもよい。
【００１８】
膨出部２４は、椀状部材２３の内壁面と対向する位置にスリット状に形成された複数の第２の連通孔２４２が、周方向の全体にわたって等間隔に配置されている。膨出部２４の先端側底部の周縁部には、複数の補助孔２４１が均一に形成されている。
【００１９】
拡散部材２５は、先端側に先細部２５９を有する筒状の部材であり、基端側の開口周縁が、後筒２２の導入口１１の周縁部に連設されて、フード部材２０の基端側に配置されている。先細部２５９は、円弧状に湾曲する複数の第１の帯状体２５１および第２の帯状体２５２が周方向に交互に配置されて半楕円球状に形成されている。第２の帯状体２５２は、両側の第１の帯状体２５１に対して陥没するように設けられており、これによって、隣接する第１の帯状体２５１と第２の帯状体２５２との間に、スリット状の噴出孔２５３が形成されている。先細部２５９の先端部は、後筒２２の先端近傍まで延びており、中央に補助孔２５４が形成されている。
【００２０】
拡散部材２５は、本実施形態においては後筒２２と一体成形されているが、後筒２２と別部材であってもよい。また、拡散部材２５の基端開口は、必ずしも導入口１１の周縁部に連設する必要はなく、導入口１１の周縁部との間に若干の隙間が形成されていてもよい。拡径部２７が、フード部材２０の一部に設けられている場合、先細部２５９の噴出孔２５３は、拡径部２７に空気を噴出するように配置されていることが好ましい。
【００２１】
整流板２６は、図５に示すように、直径が１〜２ｍｍ程度の多数の小孔２６２が全体にわたって均一に形成された平板状の部材であり、図４に示すように、前筒２１の基端近傍の内周面に固定された保持リング２６１と、後筒２２の先端近傍の内周面に形成された段部との間に挟持されて、フード部材２０の内部を仕切るように椀状部材２３と拡散部材２５との間に介在されている。整流板２６は、通過する温風による蓄熱を促すため、アルミニウム等の金属製であることが好ましい。整流板２６は、例えば、網材、パンチングメタル、エキスパンドメタル等により構成することができる。図４に示すように、拡散部材２５の先方に設けられた整流板２６によって、先細部２５９の外面と拡径部２７の内壁面との間にはバッファ空間Ｓ１が形成され、椀状部材２３の外面と前筒２１の内壁面との間には淀み空間Ｓ２が形成される。
【００２２】
上記の構成を備えるヘアドライヤー１は、ドライヤー本体１００を作動させると、ヘアドライヤー用アタッチメント１内に導入口１１から温風が導入される。導入された温風は、大部分が拡散部材２５の先細部２５９の噴出孔２５３から拡径部２７に噴射され、一部が補助孔２５４を通過し、バッファ空間Ｓ１の全体に均一に拡散される。温風は、バッファ空間Ｓ１に貯留された後、整流板２６の全体を通過する。こうして、ドライヤー本体１００からの温風を所望の温度（例えば、約８０℃）に維持しつつ、風速を全体的に低下させて、放出口１２に向けて送出することができる。バッファ空間Ｓ１の温風を整流板２６に確実に押し込んで、温風が整流板２６の全体を均一に通過するのを促すため、ドライヤー本体１００のファン１０３は、静圧が高いファンであることが好ましく、例えば、ターボファンやシロッコファンであることが好ましい。
【００２３】
整流板２６の周縁部を通過した温風は、淀み空間Ｓ２を経て第１の連通孔２３１から椀状部材２３の内部に供給される。一方、整流板２６の中央部を通過した温風は、膨出部２４の内部を経て第２の連通孔２４２から椀状部材２３の内部に供給される。これらの温風の吹出方向は、主としてフード部材２０の径方向であることから、補助孔２３２，２４１を通過した温風とも合流して椀状部材２３の内部での混合が促され、放出口１２の全体から略均一な速度および温度で放出される。放出される温風は、バッファ空間Ｓ１から押し出されることによって直進性が高まるため、放出口１２の周囲への拡散が防止される。
【００２４】
このように、本実施形態のヘアドライヤー１は、必要な風量および温度を維持しつつ、広面積から低速の風を毛髪に向けて確実に放出することができるため、毛髪のスタイリングを迅速容易に行うことができる。本実施形態のヘアドライヤー１は、通常のヘアドライヤーと同様に使用することが可能であるが、毛髪の根元に温風を供給し易いように放出口１２の周縁部を頭部に押し付けてもよく、あるいは、毛髪の一部を椀状部材２３の内部に押し込んでクセ付けを行うことも可能である。
【００２５】
図６に示すように、ヘアドライヤー用アタッチメント１０の膨出部２４には、被収容部Ｃを蒸散可能な収容容器３０を着脱可能に装着してもよい。収容容器３０は、容器本体３１の全体に蒸散孔３２が形成されており、容器本体３１から後方に延びる複数の脚部３３の端部に、それぞれ係合部３４が設けられている。脚部３３は可撓性を有しており、係合部３４を膨出部２４の第２の連通孔２４２に係合させることで、容器本体３１が膨出部２４の先端に保持される。
【００２６】
容器本体３１に収容する被収容物Ｃは、例えば、アロマやコラーゲンの粒状物を挙げることができるが、特に限定されるものではなく、温風による蒸散を促して毛髪に効果的に作用するものを適宜使用することができる。
【符号の説明】
【００２７】
１  ヘアドライヤー
１０  ヘアドライヤー用アタッチメント
１１  導入口
１２  放出口
２０  フード部材
２３  椀状部材
２３１  第１の連通孔
２４  膨出部
２４２  第２の連通孔
２５  拡散部材
２５１  第１の帯状体
２５２  第２の帯状体
２５３  噴出孔
２５９  先細部
２６  整流板
２７  拡径部
３０  収容容器
１００  ドライヤー本体
１０３  ファン
【図１】
2019037405.tif 000003
【図２】
2019037405.tif 000004
【図３】
2019037405.tif 000005
【図４】
2019037405.tif 000006
【図５】
2019037405.tif 000007
【図６】
2019037405.tif 000008
【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
ヘアドライヤーの吹出口に設けられるヘアドライヤー用アタッチメントであって、
基端側に導入口を有し先端側に放出口を備える筒状のフード部材と、
外面に複数の噴出孔が形成された先細部を有し前記フード部材の内部の基端側に設けられた拡散部材と、
前記拡散部材の先方で前記フード部材の内部を仕切るように設けられた整流板とを備え、
前記フード部材は、基端側から先端側に向けて徐々に拡径される拡径部を備えており、
前記導入口から前記拡散部材の内部に導入された空気が、前記噴出孔を介して前記拡径部に噴出するように構成され、
前記先細部は、円弧状に湾曲する複数の第１の帯状体および第２の帯状体を周方向に交互に配置することにより、半楕円球状に形成されており、
前記第１の帯状体に対して前記第２の帯状体を陥没するように設けることで、前記第１の帯状体と前記第２の帯状体との間に前記噴出孔が形成されるヘアドライヤー用アタッチメント。
【請求項２】
前記フード部材の内部の先端側に設けられた椀状部材を更に備え、
前記椀状部材は、先端開口が前記放出口に連設されており、前記フード部材の内壁面と対向する位置に第１の連通孔が複数形成されている請求項１に記載のヘアドライヤー用アタッチメント。
【請求項３】
前記椀状部材の底部から先方に突出する膨出部を更に備え、
前記膨出部は、前記椀状部材の内壁面と対向する位置に第２の連通孔が複数形成されている請求項２に記載のヘアドライヤー用アタッチメント。
【請求項４】
前記膨出部に着脱可能に装着され、被収容物を蒸散可能な収容容器を更に備える請求項３に記載のヘアドライヤー用アタッチメント。
【請求項５】
前記整流板は、金属製の多孔板である請求項１から４のいずれかに記載のヘアドライヤー用アタッチメント。
【請求項６】
請求項１から５のいずれかに記載のヘアドライヤー用アタッチメントと、
前記ヘアドライヤー用アタッチメントに空気を導入するためのファンを有するドライヤー本体とを備えるヘアドライヤー。
【請求項７】
前記ファンは、ターボファンまたはシロッコファンである請求項６に記載のヘアドライヤー。
【手続補正２】
【補正対象書類名】明細書
【補正対象項目名】０００６
【補正方法】変更
【補正の内容】
【０００６】
本発明の前記目的は、ヘアドライヤーの吹出口に設けられるヘアドライヤー用アタッチメントであって、基端側に導入口を有し先端側に放出口を備える筒状のフード部材と、外面に複数の噴出孔が形成された先細部を有し前記フード部材の内部の基端側に設けられた拡散部材と、前記拡散部材の先方で前記フード部材の内部を仕切るように設けられた整流板とを備え、前記フード部材は、基端側から先端側に向けて徐々に拡径される拡径部を備えており、前記導入口から前記拡散部材の内部に導入された空気が、前記噴出孔を介して前記拡径部に噴出するように構成され、前記先細部は、円弧状に湾曲する複数の第１の帯状体および第２の帯状体を周方向に交互に配置することにより、半楕円球状に形成されており、前記第１の帯状体に対して前記第２の帯状体を陥没するように設けることで、前記第１の帯状体と前記第２の帯状体との間に前記噴出孔が形成されるヘアドライヤー用アタッチメントにより達成される。
【手続補正３】
【補正対象書類名】明細書
【補正対象項目名】０００７
【補正方法】削除
【補正の内容】